【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備えたナビゲーションサーバ、および、表示部と制御部とを少なくとも備えた端末装置、を通信可能に接続したナビゲーションシステムであって、
上記ナビゲーションサーバの上記記憶部は、
地図の地図データを記憶する地図データ記憶手段と、
上記地図に存在する施設の位置情報を含む施設情報を記憶する施設情報記憶手段と、
を備え、
上記ナビゲーションサーバの上記制御部は、
上記端末装置から、上記端末装置の上記表示部に表示された上記地図データを表示した地図表示画面の表示領域についての表示領域情報を受信する表示領域情報受信手段と、
上記表示領域情報受信手段により受信された上記表示領域情報に基づく上記地図データに基づく地図上の所定地点を中心とする所定領域に存在する上記施設について、上記施設情報記憶手段に記憶された上記施設情報を検索し、施設情報検索結果として取得する施設情報検索手段と、
上記施設情報検索手段により取得された上記施設情報検索結果から、上記表示領域情報受信手段により受信された上記表示領域情報に基づいて上記地図表示画面の上記表示領域の外部に存在する上記施設を抽出する画面外施設抽出手段と、
上記画面外施設抽出手段により抽出された上記施設について、当該施設の上記位置情報に基づいて、上記所定地点と当該施設との位置関係に応じて表示態様を変更した画面外施設案内情報を生成する画面外施設案内情報生成手段と、
上記画面外施設案内情報生成手段により生成された上記画面外施設案内情報を、上記端末装置へ送信する画面外施設案内情報送信手段と、
を備え、
上記端末装置の上記制御部は、
上記表示部に表示された上記地図表示画面の上記表示領域についての上記表示領域情報を取得し、上記表示領域情報を上記ナビゲーションサーバに送信する表示領域情報送信手段と、
上記ナビゲーションサーバから送信される上記画面外施設案内情報を受信する画面外施設案内情報受信手段と、
上記画面外施設案内情報受信手段により受信された上記画面外施設案内情報を、上記地図表示画面に重畳して表示させる画面外施設案内情報表示手段と、
を備えたことを特徴とする、ナビゲーションシステム。
【請求項２】
請求項１に記載のナビゲーションシステムにおいて、
上記端末装置の上記画面外施設案内情報表示手段は、
所定時間、上記画面外施設案内情報を上記地図表示画面に重畳して表示させることを特徴とする、ナビゲーションシステム。
【請求項３】
請求項２に記載のナビゲーションシステムにおいて、
上記端末装置は、上記画面外施設案内情報を表示した上記地図表示画面を上記表示部に表示させる表示指示を少なくとも入力する入力部を更に備え、
上記端末装置の上記画面外施設案内情報表示手段は、
上記入力部を介して上記表示指示が入力された場合、上記画面外施設案内情報を上記地図表示画面に重畳して表示させることを特徴とする、ナビゲーションシステム。
【請求項４】
請求項１から３のいずれか一つに記載のナビゲーションシステムにおいて、
上記施設情報は、更に、
上記施設の種類を示す施設種別を含み、
上記端末装置の上記画面外施設案内情報表示手段は、
上記施設種別ごとの上記画面外施設案内情報を上記地図表示画面に重畳して表示させることを特徴とする、ナビゲーションシステム。
【請求項５】
請求項４に記載のナビゲーションシステムにおいて、
上記画面外施設案内情報は、更に、
上記施設種別に基づく施設マークデータを含み、
上記端末装置の上記画面外施設案内情報表示手段は、
上記施設マークデータを上記地図表示画面に重畳して表示させることを特徴とする、ナビゲーションシステム。
【請求項６】
請求項１から５のいずれか一つに記載のナビゲーションシステムにおいて、
上記端末装置の上記画面外施設案内情報表示手段は、
上記画面外施設案内情報を上記地図表示画面の画面端に重畳して表示させることを特徴とする、ナビゲーションシステム。
【請求項７】
ナビゲーションサーバに通信可能に接続された、表示部と制御部とを少なくとも備えた端末装置であって、
上記制御部は、
上記表示部に表示された地図データを表示した地図表示画面の表示領域についての表示領域情報を取得し、上記表示領域情報を上記ナビゲーションサーバに送信する表示領域情報送信手段と、
上記ナビゲーションサーバから送信される、上記地図データに基づく地図上の所定地点を中心とする所定領域に存在し、上記地図表示画面の上記表示領域の外部に存在する、施設について、当該施設の位置情報に基づいて、上記所定地点と当該施設との位置関係に応じて表示態様を変更した画面外施設案内情報を受信する画面外施設案内情報受信手段と、
上記画面外施設案内情報受信手段により受信された上記画面外施設案内情報を、上記地図表示画面に重畳して表示させる画面外施設案内情報表示手段と、
を備えたことを特徴とする、端末装置。
【請求項８】
表示部を少なくとも備えた端末装置に通信可能に接続された、制御部と記憶部とを少なくとも備えたナビゲーションサーバであって、
上記記憶部は、
地図の地図データを記憶する地図データ記憶手段と、
上記地図に存在する施設の位置情報を含む施設情報を記憶する施設情報記憶手段と、
を備え、
上記制御部は、
上記端末装置から、上記端末装置の上記表示部に表示された上記地図データを表示した地図表示画面の表示領域部分を受信する地図表示画面受信手段と、
上記地図表示画面受信手段により受信された上記地図表示画面の上記表示領域についての表示領域情報を取得する表示領域情報取得手段と、
上記表示領域情報取得手段により取得された上記表示領域情報に基づく上記地図データに基づく地図上の所定地点を中心とする所定領域に存在する上記施設について、上記施設情報記憶手段に記憶された上記施設情報を検索し、施設情報検索結果として取得する施設情報検索手段と、
上記施設情報検索手段により取得された上記施設情報検索結果から、上記表示領域情報受信手段により受信された上記表示領域情報に基づいて上記地図表示画面の上記表示領域の外部に存在する上記施設を抽出する画面外施設抽出手段と、
上記画面外施設抽出手段により抽出された上記施設について、当該施設の上記位置情報に基づいて、上記所定地点と当該施設との位置関係に応じて表示態様を変更した画面外施設案内情報を生成する画面外施設案内情報生成手段と、
上記画面外施設案内情報生成手段により生成された上記画面外施設案内情報を上記端末装置へ送信することにより、当該端末装置の上記表示部に表示された上記地図表示画面に当該画面外施設案内情報を重畳して表示させる画面外施設案内表示制御手段と、
を備えたことを特徴とする、ナビゲーションサーバ。
【請求項９】
表示部と制御部と記憶部とを少なくとも備えたナビゲーション装置であって、
上記記憶部は、
地図の地図データを記憶する地図データ記憶手段と、
上記地図に存在する施設の位置情報を含む施設情報を記憶する施設情報記憶手段と、
を備え、
上記制御部は、
上記表示部に表示された上記地図データを表示した地図表示画面の表示領域についての表示領域情報を取得する表示領域情報取得手段と、
上記表示領域情報取得手段により取得された上記表示領域情報に基づく上記地図データに基づく地図上の所定地点を中心とする所定領域に存在する上記施設について、上記施設情報記憶手段に記憶された上記施設情報を検索し、施設情報検索結果として取得する施設情報検索手段と、
上記施設情報検索手段により取得された上記施設情報検索結果から、上記表示領域情報取得手段により取得された上記表示領域情報に基づいて上記地図表示画面の上記表示領域の外部に存在する上記施設を抽出する画面外施設抽出手段と、
上記画面外施設抽出手段により抽出された上記施設について、当該施設の上記位置情報に基づいて、上記所定地点と当該施設との位置関係に応じて表示態様を変更した画面外施設案内情報を生成する画面外施設案内情報生成手段と、
上記画面外施設案内情報生成手段により生成された上記画面外施設案内情報を、上記地図表示画面に重畳して表示させる画面外施設案内情報表示手段と、
を備えたことを特徴とする、ナビゲーション装置。
【請求項１０】
制御部と記憶部とを少なくとも備えたナビゲーションサーバ、および、表示部と制御部とを少なくとも備えた端末装置、を通信可能に接続したナビゲーションシステムにおいて実行されるナビゲーション方法であって、
上記ナビゲーションサーバの上記記憶部は、
地図の地図データを記憶する地図データ記憶手段と、
上記地図に存在する施設の位置情報を含む施設情報を記憶する施設情報記憶手段と、
を備え、
上記端末装置の上記制御部において実行される、上記表示部に表示された地図表示画面の表示領域についての表示領域情報を取得し、上記表示領域情報を上記ナビゲーションサーバに送信する表示領域情報送信ステップと、
上記ナビゲーションサーバの上記制御部において実行される、上記端末装置から、上記端末装置の上記表示部に表示された上記地図データを表示した上記地図表示画面の上記表示領域についての上記表示領域情報を受信する表示領域情報受信ステップと、
上記ナビゲーションサーバの上記制御部において実行される、上記表示領域情報受信ステップにて受信された上記表示領域情報に基づく上記地図データに基づく地図上の所定地点を中心とする所定領域に存在する上記施設について、上記施設情報記憶手段に記憶された上記施設情報を検索し、施設情報検索結果として取得する施設情報検索ステップと、
上記ナビゲーションサーバの上記制御部において実行される、上記施設情報検索ステップにて取得された上記施設情報検索結果から、上記表示領域情報受信ステップにて受信された上記表示領域情報に基づいて上記地図表示画面の上記表示領域の外部に存在する上記施設を抽出する画面外施設抽出ステップと、
上記ナビゲーションサーバの上記制御部において実行される、上記画面外施設抽出ステップにて抽出された上記施設について、当該施設の上記位置情報に基づいて、上記所定地点と当該施設との位置関係に応じて表示態様を変更した画面外施設案内情報を生成する画面外施設案内情報生成ステップと、
上記ナビゲーションサーバの上記制御部において実行される、上記画面外施設案内情報生成ステップにて生成された上記画面外施設案内情報を、上記端末装置へ送信する画面外施設案内情報送信ステップと、
上記端末装置の上記制御部において実行される、上記ナビゲーションサーバから送信される上記画面外施設案内情報を受信する画面外施設案内情報受信ステップと、
上記端末装置の上記制御部において実行される、上記画面外施設案内情報受信ステップにて受信された上記画面外施設案内情報を、上記地図表示画面に重畳して表示させる画面外施設案内情報表示ステップと、
を含むことを特徴とする、ナビゲーション方法。
【請求項１１】
ナビゲーションサーバに通信可能に接続された、表示部と制御部とを少なくとも備えた端末装置において実行されるナビゲーション方法であって、
上記制御部において実行される、
上記表示部に表示された地図データを表示した地図表示画面の表示領域についての表示領域情報を取得し、上記表示領域情報を上記ナビゲーションサーバに送信する表示領域情報送信ステップと、
上記ナビゲーションサーバから送信される、上記地図データに基づく地図上の所定地点を中心とする所定領域に存在し、上記地図表示画面の上記表示領域の外部に存在する、施設について、当該施設の位置情報に基づいて、上記所定地点と当該施設との位置関係に応じて表示態様を変更した画面外施設案内情報を受信する画面外施設案内情報受信ステップと、
上記画面外施設案内情報受信ステップにて受信された上記画面外施設案内情報を、上記地図表示画面に重畳して表示させる画面外施設案内情報表示ステップと、
を含むことを特徴とする、ナビゲーション方法。
【請求項１２】
表示部を少なくとも備えた端末装置に通信可能に接続された、制御部と記憶部とを少なくとも備えたナビゲーションサーバにおいて実行されるナビゲーション方法であって、
上記記憶部は、
地図の地図データを記憶する地図データ記憶手段と、
上記地図に存在する施設の位置情報を含む施設情報を記憶する施設情報記憶手段と、
を備え、
上記制御部において実行される、
上記端末装置から、上記端末装置の上記表示部に表示された上記地図データを表示した地図表示画面の表示領域部分を受信する地図表示画面受信ステップと、
上記地図表示画面受信ステップにて受信された上記地図表示画面の上記表示領域についての表示領域情報を取得する表示領域情報取得ステップと、
上記表示領域情報取得ステップにて取得された上記表示領域情報に基づく上記地図データに基づく地図上の所定地点を中心とする所定領域に存在する上記施設について、上記施設情報記憶手段に記憶された上記施設情報を検索し、施設情報検索結果として取得する施設情報検索ステップと、
上記施設情報検索ステップにて取得された上記施設情報検索結果から、上記表示領域情報受信ステップにて受信された上記表示領域情報に基づいて上記地図表示画面の上記表示領域の外部に存在する上記施設を抽出する画面外施設抽出ステップと、
上記画面外施設抽出ステップにて抽出された上記施設について、当該施設の上記位置情報に基づいて、上記所定地点と当該施設との位置関係に応じて表示態様を変更した画面外施設案内情報を生成する画面外施設案内情報生成ステップと、
上記画面外施設案内情報生成ステップにて生成された上記画面外施設案内情報を上記端末装置へ送信することにより、当該端末装置の上記表示部に表示された上記地図表示画面に当該画面外施設案内情報を重畳して表示させる画面外施設案内表示制御ステップと、
を含むことを特徴とする、ナビゲーション方法。
【請求項１３】
表示部と制御部と記憶部とを少なくとも備えたナビゲーション装置において実行されるナビゲーション方法であって、
上記記憶部は、
地図の地図データを記憶する地図データ記憶手段と、
上記地図に存在する施設の位置情報を含む施設情報を記憶する施設情報記憶手段と、
を備え、
上記制御部において実行される、
上記表示部に表示された上記地図データを表示した地図表示画面の表示領域についての表示領域情報を取得する表示領域情報取得ステップと、
上記表示領域情報取得ステップにて取得された上記表示領域情報に基づく上記地図データに基づく地図上の所定地点を中心とする所定領域に存在する上記施設について、上記施設情報記憶手段に記憶された上記施設情報を検索し、施設情報検索結果として取得する施設情報検索ステップと、
上記施設情報検索ステップにて取得された上記施設情報検索結果から、上記表示領域情報取得ステップにて取得された上記表示領域情報に基づいて上記地図表示画面の上記表示領域の外部に存在する上記施設を抽出する画面外施設抽出ステップと、
上記画面外施設抽出ステップにて抽出された上記施設について、当該施設の上記位置情報に基づいて、上記所定地点と当該施設との位置関係に応じて表示態様を変更した画面外施設案内情報を生成する画面外施設案内情報生成ステップと、
上記画面外施設案内情報生成ステップにて生成された上記画面外施設案内情報を、上記地図表示画面に重畳して表示させる画面外施設案内情報表示ステップと、
を含むことを特徴とする、ナビゲーション方法。